(57)【要約】【課題】コンテンツを視聴する視聴者に応じたコンテンツを提供することを課題とする。【解決手段】コンテンツ再生装置１０が、会場でコンテンツを視聴している視聴者の一連のバイタル情報を受信し、受信されたバイタル情報の値が所定値以上となった時刻、または、バイタル情報の値の変化が所定値以上となった時刻を検出する。そして、コンテンツ再生装置１０は、コンテンツと同一種別のコンテンツの再生を開始する際に、検出された時刻に対応する箇所から所定範囲の時間帯の映像を順次再生する。【選択図】        図３
2015088923.tif 000002
【特許請求の範囲】
【請求項１】
コンテンツ再生装置で実行されるコンテンツ再生方法であって、
会場でコンテンツを視聴している視聴者の一連のバイタル情報を受信する受信ステップと、
前記受信ステップによって受信されたバイタル情報の値が所定値以上となった時刻、または、前記バイタル情報の値の変化が所定値以上となった時刻を検出する検出ステップと、
前記コンテンツと同一種別のコンテンツの再生を開始する際に、前記検出ステップによって検出された時刻に対応する箇所から所定範囲の時間帯の映像を順次再生する再生ステップと、
を含んだことを特徴とするコンテンツ再生方法。
【請求項２】
前記再生ステップは、前記所定範囲の時間帯の映像を順次再生する処理を行っている際に、前記視聴者から通常の再生を行う旨の指示を受け付けると、前記コンテンツを通常に再生することを特徴とする請求項１に記載のコンテンツ再生方法。
【請求項３】
前記バイタル情報は、前記視聴者の呼吸数、脈拍、血圧、および、体温の少なくともいずれかを示す情報であることを特徴とする請求項１または２に記載のコンテンツ再生方法。
【請求項４】
会場でコンテンツを視聴している視聴者の一連のバイタル情報を受信する受信部と、
前記受信部によって受信されたバイタル情報の値が所定値以上となった時刻、または、前記バイタル情報の値の変化が所定値以上となった時刻を検出する検出部と、
前記コンテンツと同一種別のコンテンツの再生を開始する際に、前記検出部によって検出された時刻に対応する箇所から所定範囲の時間帯の映像を順次再生する再生部と、
を備えたことを特徴とするコンテンツ再生装置。
【請求項５】
前記再生部は、前記所定範囲の時間帯の映像を順次再生する処理を行っている際に、前記視聴者から通常の再生を行う旨の指示を受け付けると、前記コンテンツを通常に再生することを特徴とする請求項４に記載のコンテンツ再生装置。
【請求項６】
前記バイタル情報は、前記視聴者の呼吸数、脈拍、血圧、および、体温の少なくともいずれかを示す情報であることを特徴とする請求項４または５に記載のコンテンツ再生装置。
【請求項７】
会場でコンテンツを視聴している視聴者の一連のバイタル情報を受信する受信ステップと、
前記受信ステップによって受信されたバイタル情報の値が所定値以上となった時刻、または、前記バイタル情報の値の変化が所定値以上となった時刻を検出する検出ステップと、
前記コンテンツと同一種別のコンテンツの再生を開始する際に、前記検出ステップによって検出された時刻に対応する箇所から所定範囲の時間帯の映像を順次再生する再生ステップと、
をコンピュータに実行させることを特徴とするコンテンツ再生プログラム。
【発明の詳細な説明】
【技術分野】
【０００１】
本発明は、コンテンツ再生方法、コンテンツ再生装置及びコンテンツ再生プログラムに関する。
【背景技術】
【０００２】
従来、映像コンテンツ等のダイジェスト映像を作成する技術が提案されている。例えば、特許文献１には、映像コンテンツ中、登場人物等の感情（悲しい、楽しい）の表出があった箇所を抽出し、ダイジェスト映像を作成する技術が開示されている。
【先行技術文献】
【特許文献】
【０００３】
【特許文献１】特開２００９−１１１９３８号公報
【発明の概要】
【発明が解決しようとする課題】
【０００４】
しかし、上述した従来の技術では、作成されたダイジェスト映像は、映像コンテンツ中の登場人物等の感情の表出があった箇所を抽出しているので、コンテンツを視聴する視聴者に応じたコンテンツを提供することができないという課題があった。つまり、上記した従来の技術では、視聴者の状態を考慮しておらず、コンテンツを視聴する視聴者に応じたコンテンツを提供することができなかった。
【０００５】
そこで、この発明は、コンテンツを視聴する視聴者に応じたコンテンツを提供することを目的とする。
【課題を解決するための手段】
【０００６】
上述した課題を解決し、目的を達成するため、開示のコンテンツ再生方法は、コンテンツ再生装置で実行されるコンテンツ再生方法であって、会場でコンテンツを視聴している視聴者の一連のバイタル情報を受信する受信ステップと、前記受信ステップによって受信されたバイタル情報の値が所定値以上となった時刻、または、前記バイタル情報の値の変化が所定値以上となった時刻を検出する検出ステップと、前記コンテンツと同一種別のコンテンツの再生を開始する際に、前記検出ステップによって検出された時刻に対応する箇所から所定範囲の時間帯の映像を順次再生する再生ステップと、を含んだことを特徴とする。
【０００７】
また、開示のコンテンツ再生装置は、会場でコンテンツを視聴している視聴者の一連のバイタル情報を受信する受信部と、前記受信部によって受信されたバイタル情報の値が所定値以上となった時刻、または、前記バイタル情報の値の変化が所定値以上となった時刻を検出する検出部と、前記コンテンツと同一種別のコンテンツの再生を開始する際に、前記検出部によって検出された時刻に対応する箇所から所定範囲の時間帯の映像を順次再生する再生部と、を備えたことを特徴とする。
【０００８】
また、開示のコンテンツ再生プログラムは、会場でコンテンツを視聴している視聴者の一連のバイタル情報を受信する受信ステップと、前記受信ステップによって受信されたバイタル情報の値が所定値以上となった時刻、または、前記バイタル情報の値の変化が所定値以上となった時刻を検出する検出ステップと、前記コンテンツと同一種別のコンテンツの再生を開始する際に、前記検出ステップによって検出された時刻に対応する箇所から所定範囲の時間帯の映像を順次再生する再生ステップと、をコンピュータに実行させることを特徴とする。
【発明の効果】
【０００９】
本願に開示するコンテンツ再生方法、コンテンツ再生装置及びコンテンツ再生プログラムは、コンテンツを視聴する視聴者に応じたコンテンツを提供することが可能である。
【図面の簡単な説明】
【００１０】
【図１】図１は、第一の実施形態に係るシステムにおいて実行されるバイタル情報検出処理の概要を説明する図である。
【図２】図２は、第一の実施形態に係るシステムにおいて実行されるコンテンツ再生処理の概要を説明する図である。
【図３】図３は、第一の実施形態に係るコンテンツ再生装置の構成の一例を示す図である。
【図４】図４は、第一の実施形態に係るバイタル情報記憶部に記憶される情報の一例を示す図である。
【図５】図５は、第一の実施形態に係るバイタルリスト記憶部に記憶される情報の一例を示す図である。
【図６】図６は、第一の実施形態に係るバイタル情報の変化を検出する処理を説明する図である。
【図７】図７は、コンテンツの対応部分にマークする処理を説明する図である。
【図８】図８は、飛ばし見再生実行処理を説明する図である。
【図９】図９は、第一の実施形態に係るシステムにおけるコンテンツ再生処理の全体の流れを説明する図である。
【図１０】図１０は、第一の実施形態に係るバイタルセンサにおけるバイタル情報記録処理の流れを説明するためのフローチャートである。
【図１１】図１１は、第一の実施形態に係るシステムにおけるバイタル情報の変化を検出する検出処理の流れを説明するためのシーケンス図である。
【図１２】図１２は、第一の実施形態に係るシステムにおけるコンテンツ再生処理の流れを説明するためのシーケンス図である。
【図１３】図１３は、コンテンツ再生プログラムを実行するコンピュータを示す図である。
【発明を実施するための形態】
【００１１】
以下に図面を参照して、この発明に係るコンテンツ再生方法、コンテンツ再生装置及びコンテンツ再生プログラムの実施形態を詳細に説明する。なお、この実施形態によりこの発明が限定されるものではない。
【００１２】
［第一の実施形態］
以下の実施形態では、第一の実施形態の概要、第一の実施形態に係るコンテンツ再生装置の構成及び各装置による処理の流れを順に説明し、最後に第一の実施形態による効果を説明する。
【００１３】
［概要］
まず、図１を参照しながら、第一の実施形態に係るシステムにおいて実行されるコンテンツ再生処理の概要を説明する。
【００１４】
図１は、第一の実施形態に係るシステムにおいて実行されるバイタル情報検出処理の概要を説明する図である。図２は、第一の実施形態に係るシステムにおいて実行されるコンテンツ再生処理の概要を説明する図である。
【００１５】
図１に示すように、第一の実施形態に係るシステムは、コンテンツ再生装置１０と、視聴者のバイタル情報（生体情報）を検出するバイタルセンサ２０と、を備える。なお、このコンテンツ再生装置１０は、無線通信機能を備えた情報端末であり、例えば、ＤＶＤ（Digital  Video  Disc）再生機や、ＢＤ（Blu-ray（登録商標）  Disc）再生機、携帯電話機、スマートフォン、タブレット端末等である。
【００１６】
また、バイタルセンサ２０により検出されるバイタル情報は、例えば、視聴者の呼吸数、脈拍、血圧、体温等である。システムを構成するコンテンツ再生装置１０、バイタルセンサ２０それぞれの台数は、図１に示す台数に限定されない。以下に、システムの処理の一例を説明する。なお、以下では、視聴者が映画館で映像作品を視聴した後に、映画の映像作品と同一の映像作品のＢＤを購入し、購入したＢＤをバイタル情報をもとに再生する場合を例に説明する。
【００１７】
まず、バイタルセンサ２０は、映画館で映像作品を視聴する視聴者の呼吸数や脈拍などのバイタル情報を記録する。そして、コンテンツ再生装置１０は、バイタルセンサ２０からバイタル情報を受信し、該バイタル情報から視聴者の興奮や、視聴者の急激な気持ちの急激な変化を検出し、検出時の時刻情報を急激変化箇所リストに格納する。
【００１８】
その後、図２に示すように、視聴者が視聴した映像作品が、個人用コンテンツとしてＢＤで販売され、これを視聴者が購入したものとする。そして、視聴者がＢＤの再生の開始を指示すると、コンテンツ再生装置１０は、急激変化箇所リストに基づいて、リスト項目の時刻部分のみを視聴できるように、飛ばし見再生を行う。例えば、視聴者が感動した部分だけを視聴できるように、感動した部分の映像をつなぎ合わせた映像を再生する。また、ユーザの指示に応じて、通常再生に切り替える。
【００１９】
このようにすることで、コンテンツ再生装置１０は、例えば、視聴者が過去に視聴済みのコンテンツについて、視聴者が感動した部分だけを飛ばし見的に再生したり、飛ばし見から通常再生したりして、視聴者の好み通りにコンテンツを楽しませることが可能である。
【００２０】
［コンテンツ再生装置の構成］
次に、図３を用いて、コンテンツ再生装置の構成について説明する。図３は、第一の実施形態に係るコンテンツ再生装置の構成の一例を示す図である。図３に示すように、コンテンツ再生装置１０は、通信処理部１１、制御部１２および記憶部１３を有する。
【００２１】
通信処理部１１は、バイタルセンサ２０との間でやり取りする各種情報に関する通信を制御する。例えば、通信処理部１１は、バイタルセンサ２０からバイタル情報を受信する。なお、バイタル情報は、前記視聴者の呼吸数、脈拍、血圧、および、体温の少なくともいずれかを示す情報である。
【００２２】
記憶部１３は、図３に示すように、バイタル情報記憶部１３ａ、バイタルリスト記憶部１３ｂおよびコンテンツ記憶部１３ｃを有する。記憶部１３は、例えば、ＲＡＭ（Random  Access  Memory）、フラッシュメモリ（Flash  Memory）等の半導体メモリ素子、又は、ハードディスク、光ディスク等の記憶装置などである。
【００２３】
バイタル情報記憶部１３ａは、バイタルセンサ２０から受信したバイタル情報を記憶する。ここで、図４を用いて、第一の実施形態に係るバイタル情報記憶部１３ａに記憶される情報の一例について説明する。なお、以下の例では、バイタル情報として、視聴者の脈拍を記憶する場合を例に説明する。
【００２４】
図４は、第一の実施形態に係るバイタル情報記憶部に記憶される情報の一例を示す図である。例えば、バイタル情報記憶部１３ａは、図４に示すように、バイタル情報を一意に識別する「バイタルＩＤ」と、脈拍の値を示す「バイタル情報」と、バイタル情報が記録された時刻を示す「記録時刻」とを対応付けて記憶する。
【００２５】
具体例を挙げて説明すると、図４に例示するように、例えば、バイタル情報記憶部１３ａは、バイタルＩＤ「バイタル１」と、バイタル情報「１００」と、記録時刻「2013/9/2  19：00」とを対応付けて記憶する。これは、バイタルＩＤが「バイタル１」のデータについて、視聴者の１分間における脈拍の値が「１００」であり、そのバイタル情報がバイタルセンサ２０によって記録された時刻が「2013/9/2  19：00」であることを意味する。
【００２６】
バイタルリスト記憶部１３ｂは、バイタル情報記憶部１３ａに記憶されたバイタル情報のうち、バイタル情報の値が所定値以上となったもの、または、バイタル情報の値の変化が所定値以上となったものをバイタル時刻リストとして記憶する。ここで、図５を用いて、バイタルリスト記憶部１３ｂに記憶される情報の一例について説明する。
【００２７】
図５は、バイタルリスト記憶部に記憶される情報の一例を示す図である。例えば、バイタルリスト記憶部１３ｂは、図５に示すように、「バイタルＩＤ」と、「記録時刻」とを対応付けて記憶する。ここで、具体例を挙げて説明すると、図４に例示するように、例えば、バイタルリスト記憶部１３ｂは、バイタルＩＤ「バイタル２」と、記録時刻「2013/9/2  19：01」とを対応付けて記憶する。バイタルリスト記憶部１３ｂに記憶される情報は、後述する変化検出部１２ｂによって検出されたバイタル情報の一覧が記録されたリストである。
【００２８】
コンテンツ記憶部１３ｃは、ＢＤのコンテンツデータを一時的に記憶する。また、コンテンツ記憶部１３ｃは、後述する再生部１２ｃによって再生されるコンテンツデータを記憶する。例えば、コンテンツ記憶部１３ｃによって記憶されるコンテンツデータは、視聴者が以前に映画館で鑑賞した映画と同一の映画のＢＤに記憶されるコンテンツデータである。コンテンツ記憶部１３ｃは、視聴者によってコンテンツ再生装置１０に入れられたＢＤ等に記憶されているコンテンツデータを一時的に記憶する。
【００２９】
図３に戻って、制御部１２は、受信部１２ａ、変化検出部１２ｂ、および再生部１２ｃを有する。ここで、制御部１２は、ＣＰＵ（Central  Processing  Unit）やＭＰＵ（Micro  Processing  Unit）などの電子回路やＡＳＩＣ（Application  Specific  Integrated  Circuit）やＦＰＧＡ（Field  Programmable  Gate  Array）などの集積回路である。
【００３０】
受信部１２ａは、会場でコンテンツを視聴している視聴者の一連のバイタル情報をバイタルセンサ２０から受信する。例えば、受信部１２ａは、ユーザＩＤをバイタルセンサ２０に送信し、該ユーザＩＤに対応するバイタル情報として、バイタルセンサ２０が１秒ごとに記録したバイタル情報を受信し、バイタル情報記憶部１３ａに格納する。なお、バイタルセンサが記録を開始した時刻は、コンテンツ開始時刻として格納される。
【００３１】
変化検出部１２ｂは、受信部１２ａによって受信されたバイタル情報の値が所定値以上となった時刻、または、バイタル情報の値の変化が所定値以上となった時刻を検出する。具体的には、変化検出部１２ｂは、各バイタル情報の値が所定値以上であるか判定し、所定値以上であるバイタル情報をバイタルリスト記憶部１３ｂに格納する。例えば、変化検出部１２ｂは、バイタルリスト情報として脈拍の値が１分間に「１０１」以上であるか判定し、「１０１」以上であるバイタル情報の「バイタルＩＤ」および「記録時刻」をバイタルリスト記憶部１３ｂに格納する。
【００３２】
また、変化検出部１２ｂは、前後する２つのバイタル情報を比較して、所定値以上の変化があるか判定し、所定値以上の変化がある場合には、時刻が先のバイタル情報を検出して、バイタルリスト記憶部１３ｂに格納する。例えば、変化検出部１２ｂは、前後の２つのバイタルリスト情報として脈拍の値が「３」以上であるか判定し、「３」以上である場合には、時刻が先のバイタル情報の「バイタルＩＤ」および「記録時刻」をバイタルリスト記憶部１３ｂに格納する。
【００３３】
なお、所定値以上の変化がある場合に、時刻が先のバイタル情報を検出する場合に限定されず、例えば、２つのバイタル情報のうち値が大きい方のバイタル情報をバイタルリスト記憶部１３ｂに格納してもよい。例を挙げて説明すると、変化検出部１２ｂは、前後の２つのバイタルリスト情報として脈拍の値が「３」以上であるか判定し、「３」以上である場合には、脈拍の値が大きいバイタル情報の「バイタルＩＤ」および「記録時刻」をバイタルリスト記憶部１３ｂに格納する。
【００３４】
なお、変化検出部１２ｂは、バイタル情報の値が所定値以上となった時刻を検出する処理、または、バイタル情報の値の変化が所定値以上となった時刻を検出する処理のいずれかを行ってもよいし、バイタル情報の値が所定値以上であって、且つ、バイタル情報の値の変化が所定値以上となった時刻を検出する処理を行ってもよい。このような検出するための条件は、視聴者によって適宜変更することが可能である。なお、以下の説明では、バイタル情報の値の変化が所定値以上となった時刻を検出する処理を例として説明する。
【００３５】
ここで図６を用いて、バイタル情報の変化を検出する処理を説明する。図６は、第一の実施形態に係るバイタル情報の変化を検出する処理を説明する図である。まず、映像再生装置１０の変化検出部１２ｂは、全バイタル情報から、バイタル情報を時系列順に２つ読み出し、後の情報がまだあるかを判定する。ここで、変化検出部１２ｂが、後の情報があると判定した場合、読み出した２つのバイタル情報を比較し、情報の変化が所定の閾値以上か否かを判定する。ここで、変化検出部１２ｂが、情報の変化は所定の閾値以上と判定した場合、読み出した２つのバイタル情報のうち先のバイタル情報の時刻（記録時刻）をリストに載せる。変化検出部１２ｂが、上記の処理を繰り返すことで、例えば、変化が所定の閾値以上のバイタル情報（バイタル２，５，…，Ｘ）のバイタル急激変化リストが作成される。
【００３６】
再生部１２ｃは、コンテンツと同一種別のコンテンツの再生を開始する際に、変化検出部１２ｂによって検出された時刻に対応する箇所から所定範囲の時間帯の映像を順次再生する。まず、再生部１２ｃは、例えば、コンテンツに対応するコンテンツに対応するバイタル急激変化リストを探し、バイタル急激変化リストを参照し、バイタル急激変化リストにおける個々の時刻に対応するコンテンツの場所を特定する。
【００３７】
ここで、図７を用いて、コンテンツの場所を特定する処理として、コンテンツの対応部分にマークする処理を説明する。図７は、コンテンツの対応部分にマークする処理を説明する図である。図７に示すように、例えば、再生部１２ｃは、バイタル急激変化（時刻）リストから元コンテンツ開始時刻を読み出し、市販コンテンツの開始ポイントに基準時刻としてマークする。
【００３８】
続いて、再生部１２ｃは、バイタル急激変化時刻リストを読み出し、項目がまだあるか否かを判定する。そして、再生部１２ｃは、項目がまだあると判定した場合には、リストの１項目を読み出し、コンテンツ開始時刻を基準に市販コンテンツの対応部分にマークする。上記の処理をバイタル急激変化時刻リストの項目がなくなるまで繰り返す。
【００３９】
例えば、図７に例示するように、バイタル急激変化時刻リストにバイタル２、バイタル５・・・バイタルＸの記録時刻が含まれている場合には、市販コンテンツの対応部分にそれぞれマークする。
【００４０】
その後、再生部１２ｃは、特定された場所ごとに、前後の部分映像を指定時間分だけ再生する。また、再生部１２ｃは、部分映像を指定時間分だけ再生する処理を行っている際に、視聴者から通常の再生を行う旨の指示を受け付けると、コンテンツを通常に再生する。
【００４１】
例えば、再生部１２ｃ予め設定された指定時間として、例えば、５分だけ再生する飛ばし見再生処理を実行する。ここで、図８を用いて、飛ばし見再生実行処理を説明する。図８は、飛ばし見再生実行処理を説明する図である。図８に示すように、再生部１２ｃは、動画のマークを読み出し、まだマークがあるか否かを判定する。この結果、再生部１２ｃは、まだマークがあると判定した場合には、マークの１項目を読み出し、マーク前後の部分映像を指定時間分だけ再生する飛ばし見再生処理を実行する。
【００４２】
例えば、図８に例示するように、再生部１２ｃは、バイタル２時刻、バイタル５時刻・・・バイタルＸ時刻に対応する部分映像を指定時間だけ再生する。また、再生部１２ｃは、飛ばし見再生中に普通再生指示をユーザの操作等によって受け付けた場合には、部分映像の指定時間を無限大にし、映像を通常通りに再生する。さらに、その後飛ばし見再生指示を受け付けた場合には、部分映像の指定時間をデフォルトに戻して再生する。
【００４３】
ここで、図９を用いて、コンテンツ再生処理の全体の流れを説明する。図９は、第一の実施形態に係るシステムにおけるコンテンツ作成処理の全体の流れを説明する図である。図９に示すように、バイタルセンサ２０は、視聴者からバイタル情報記録開始指示を受け付けると、視聴者のバイタル情報を記録する処理を開始し、バイタル情報記録機能によりバイタル情報を記録する。そして、記録したバイタル情報をコンテンツ再生装置１０に転送する。
【００４４】
続いて、コンテンツ再生装置１０は、前後する２つのバイタル情報を比較して急激な変化があるデータを特定し、それをバイタル時刻リストとしてリスト化する。そして、コンテンツ再生装置１０は、コンテンツに対応するバイタル急激変化リストを探し、バイタル急激変化リストがある場合は飛ばし見再生する。なお、バイタル急激変化リストがない場合は通常の再生を行う。
【００４５】
続いて、コンテンツ再生装置１０は、視聴者のバイタル急激変化時刻リストを参照し、
個々の時刻に対応するコンテンツの場所を特定する。そして、コンテンツ再生装置１０は、特定された場所ごとに、前後の部分映像を指定時間分再生する。
【００４６】
その後、コンテンツ再生装置１０は、コンテンツ普通再生指示を受けたら、指示を受けた場所から普通再生する。また、飛ばし見再生指示を受けたら、指示を受けた場所から部分映像を再生する。
【００４７】
このように、コンテンツ再生装置１０は、例えば、視聴者が過去に視聴済みのコンテンツについて、視聴者が感動した部分だけを飛ばし見的に再生したり、飛ばし見から通常再生したりして、視聴者の好み通りにコンテンツを楽しませることが可能である。
【００４８】
［バイタルセンサによる処理］
次に、図１０を用いて、第一の実施形態に係るバイタルセンサ２０におけるバイタル情報記録処理の流れを説明する。図１０は、第一の実施形態に係るバイタルセンサにおけるバイタル情報記録処理の流れを説明するためのフローチャートである。
【００４９】
図１０に示すように、バイタルセンサ２０は、バイタル情報記録開始指示を視聴者から受け付けると（ステップＳ１０１肯定）、バイタル情報の記録を開始する（ステップＳ１０２）。そして、バイタルセンサ２０は、１分経過したか否かを判定し（ステップＳ１０３）、１分経過した場合には（ステップＳ１０３肯定）、バイタル情報を記録する（ステップＳ１０４）。
【００５０】
そして、バイタルセンサ２０は、バイタル情報記録終了指示を受け付けたか否かを判定する（ステップＳ１０５）。この結果、バイタルセンサ２０は、バイタル情報記録終了指示を受け付けていない場合には（ステップＳ１０５否定）、ステップＳ１０３の処理に戻って、上記の処理を繰り返す。一方、バイタルセンサ２０は、バイタル情報記録終了指示を受け付けた場合には（ステップＳ１０５肯定）、処理を終了する。
【００５１】
［システムによる全体処理］
次に、図１１および図１２を用いて、第一の実施形態に係るシステムにおける全体の処理の流れを説明する。図１１は、第一の実施形態に係るシステムにおけるバイタル情報の変化を検出する検出処理の流れを説明するためのシーケンス図である。図１２は、第一の実施形態に係るシステムにおけるコンテンツ再生処理の流れを説明するためのシーケンス図である。
【００５２】
まず、図１１を用いて、バイタル情報の変化を検出する検出処理の流れを説明する。図１１に示すように、コンテンツ再生装置１０は、視聴者からデータ転送指示を受け付けると（ステップＳ２０１）、バイタルセンサ２０にバイタル情報を要求する（ステップＳ２０２）。そして、バイタルセンサ２０は、コンテンツ再生装置１０に対してバイタル情報を送信する（ステップＳ２０３）。そして、コンテンツ再生装置１０は、バイタル情報を受信すると、視聴者に対してデータ転送が完了した旨を通知する（ステップＳ２０４）。例えば、コンテンツ再生装置１０は、バイタル情報のデータ転送が完了した旨のメッセージを表示することで、視聴者に対してデータ転送が完了した旨を通知する。
【００５３】
そして、コンテンツ再生装置１０は、視聴者からバイタル情報をバイタル時刻リスト化する旨の指示を受け付けると（ステップＳ２０５）、前後する２つのバイタル情報を比較して急激な変化があるデータを特定し、それをリスト化する（ステップＳ２０６）。例えば、コンテンツ再生装置１０は、後の情報があると判定した場合、読み出した２つのバイタル情報を比較し、バイタル情報の変化が所定の閾値以上か否かを判定する。この結果、コンテンツ再生装置１０は、バイタル情報の変化が所定の閾値以上と判定した場合、読み出した２つのバイタル情報のうち先のバイタル情報の時刻（記録時刻）をリストに載せる。その後、コンテンツ再生装置１０は、バイタル時刻リスト化が完了した旨を視聴者に通知する（ステップＳ２０７）。例えば、コンテンツ再生装置１０は、バイタル時刻リスト化が完了した旨のメッセージを表示することで視聴者に通知する。
【００５４】
次に、図１４を用いて、コンテンツ再生処理の流れを説明する。図１２に示すように、コンテンツ再生装置１０は、コンテンツ再生指示を視聴者から受け付けると（ステップＳ３０１）、コンテンツに対応するバイタル急激変化リストを探し、バイタル急激変化リストがある場合は飛ばし見再生し、バイタル急激変化リストがない場合は通常の再生を行う（ステップＳ３０２）。
【００５５】
続いて、コンテンツ再生装置１０は、視聴者のバイタル急激変化時刻リストを参照し、
個々の時刻に対応するコンテンツの場所を特定する（ステップＳ３０３）。そして、コンテンツ再生装置１０は、特定された場所ごとに、前後の部分映像を指定時間分再生する（ステップＳ３０４）。
【００５６】
その後、コンテンツ再生装置１０は、コンテンツ普通再生指示を受けた場合には、指示を受けた場所から普通再生する（ステップＳ３０５）。また、飛ばし見再生指示を受けた場合には、指示を受けた場所から部分映像を再生する（ステップＳ３０６）。
【００５７】
このように、コンテンツ再生装置１０は、例えば、視聴者が過去に視聴済みのコンテンツについて、視聴者が感動した部分だけを飛ばし見的に再生したり、飛ばし見から通常再生したりして、視聴者の好み通りにコンテンツを楽しませることが可能である。
【００５８】
[第一の実施形態の効果]
上述してきたように、第一の実施形態にかかるコンテンツ再生装置１０が、会場でコンテンツを視聴している視聴者の一連のバイタル情報を受信し、受信されたバイタル情報の値が所定値以上となった時刻、または、バイタル情報の値の変化が所定値以上となった時刻を検出する。そして、コンテンツ再生装置１０は、コンテンツと同一種別のコンテンツの再生を開始する際に、検出された時刻に対応する箇所から所定範囲の時間帯の映像を順次再生する。これにより、コンテンツを視聴する視聴者に応じたコンテンツを提供することが可能である。例えば、視聴者が過去に視聴済みのコンテンツについて、視聴者が感動した部分だけを飛ばし見的に再生することで、視聴者の好みに合わせてコンテンツを楽しませることが可能である。
【００５９】
また、第一の実施形態にかかるコンテンツ再生装置１０は、所定範囲の時間帯の映像を順次再生する処理を行っている際に、視聴者から通常の再生を行う旨の指示を受け付けると、コンテンツを通常に再生する。このため、飛ばし見的に再生したり、飛ばし見から通常再生したりして、視聴者の好み通りにコンテンツを楽しませることが可能である。
【００６０】
［システム構成等］
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、受信部１２ａと変化検出部１２ｂとを統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００６１】
また、本実施形態において説明した各処理のうち、自動的におこなわれるものとして説明した処理の全部または一部を手動的に行うこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００６２】
［プログラム］
また、上記実施形態において説明したコンテンツ再生装置１０が実行する処理をコンピュータが実行可能な言語で記述したプログラムを作成することもできる。例えば、第一の実施形態に係るコンテンツ再生装置１０が実行する処理をコンピュータが実行可能な言語で記述したコンテンツ再生プログラムを作成することもできる。この場合、コンピュータがコンテンツ再生プログラムを実行することにより、上記実施形態と同様の効果を得ることができる。さらに、かかるコンテンツ再生プログラムをコンピュータ読み取り可能な記録媒体に記録して、この記録媒体に記録されコンテンツ再生プログラムをコンピュータに読み込ませて実行することにより上記第一の実施形態と同様の処理を実現してもよい。以下に、図６に示したコンテンツ再生装置１０と同様の機能を実現するコンテンツ再生プログラムを実行するコンピュータの一例を説明する。
【００６３】
図１３は、コンテンツ再生プログラムを実行するコンピュータ１０００を示す図である。図１３に例示するように、コンピュータ１０００は、例えば、メモリ１０１０と、ＣＰＵ１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有し、これらの各部はバス１０８０によって接続される。
【００６４】
メモリ１０１０は、図１３に例示するように、ＲＯＭ（Read  Only  Memory）１０１１及びＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、図１３に例示するように、ハードディスクドライブ１０９０に接続される。ディスクドライブインタフェース１０４０は、図１３に例示するように、ディスクドライブ１１００に接続される。例えば磁気ディスクや光ディスク等の着脱可能な記憶媒体が、ディスクドライブ１１００に挿入される。シリアルポートインタフェース１０５０は、図１３に例示するように、例えばマウス１０５１、キーボード１０５２に接続される。ビデオアダプタ１０６０は、図１３に例示するように、例えばディスプレイ１０６１に接続される。
【００６５】
ここで、図１３に例示するように、ハードディスクドライブ１０９０は、例えば、ＯＳ１０９１、アプリケーションプログラム１０９２、プログラムモジュール１０９３、プログラムデータ１０９４を記憶する。すなわち、上記のコンテンツ再生プログラムは、コンピュータ１０００によって実行される指令が記述されたプログラムモジュールとして、例えばハードディスクドライブ１０９０に記憶される。
【００６６】
また、上記実施形態で説明した各種データは、プログラムデータとして、例えばメモリ１０１０やハードディスクドライブ１０９０に記憶される。そして、ＣＰＵ１０２０が、メモリ１０１０やハードディスクドライブ１０９０に記憶されたプログラムモジュール１０９３やプログラムデータ１０９４を必要に応じてＲＡＭ１０１２に読み出し、各種処理手順を実行する。
【００６７】
なお、コンテンツ再生プログラムに係るプログラムモジュール１０９３やプログラムデータ１０９４は、ハードディスクドライブ１０９０に記憶される場合に限られず、例えば着脱可能な記憶媒体に記憶され、ディスクドライブ等を介してＣＰＵ１０２０によって読み出されてもよい。あるいは、コンテンツ再生プログラムに係るプログラムモジュール１０９３やプログラムデータ１０９４は、ネットワーク（ＬＡＮ（Local  Area  Network）、ＷＡＮ（Wide  Area  Network）等）を介して接続された他のコンピュータに記憶され、ネットワークインタフェース１０７０を介してＣＰＵ１０２０によって読み出されてもよい。
【符号の説明】
【００６８】
１０  コンテンツ再生装置
１１  通信処理部
１２  制御部
１２ａ  受信部
１２ｂ  変化検出部
１２ｃ  再生部
１３  記憶部
１３ａ  バイタル情報記憶部
１３ｂ  バイタルリスト記憶部
１３ｃ  コンテンツ記憶部
２０  バイタルセンサ
【図１】
2015088923.tif 000003
【図２】
2015088923.tif 000004
【図３】
2015088923.tif 000005
【図４】
2015088923.tif 000006
【図５】
2015088923.tif 000007
【図６】
2015088923.tif 000008
【図７】
2015088923.tif 000009
【図８】
2015088923.tif 000010
【図９】
2015088923.tif 000011
【図１０】
2015088923.tif 000012
【図１１】
2015088923.tif 000013
【図１２】
2015088923.tif 000014
【図１３】
2015088923.tif 000015